(57)【特許請求の範囲】
【請求項１】
下記一般式（１）で表されるアルキルエーテル硫酸エステル塩を含有する界面活性剤組成物。
ＲＯ−（ＰＯ）m（ＥＯ）nＳＯ3Ｍ          （１）
（式中、Ｒは炭素数８〜２４の直鎖アルキル基であり、ＰＯとＥＯは夫々プロピレンオキシ基とエチレンオキシ基であり、ｍ、ｎはＰＯ又はＥＯの平均付加モル数を示し、それぞれ０．１≦ｍ≦０．９、０＜ｎ≦２．３の数である。Ｍは陽イオンである。）
【請求項２】
以下の工程（Ｉ）〜（III）を含む工程から製造される一般式（１）で表されるアルキ
ルエーテル硫酸エステル塩を含有する界面活性剤組成物。
工程（Ｉ）：炭素数８〜２４の直鎖アルキル基を有するアルコール１モルにプロピレンオキサイドを平均で０．１モル以上、０．９モル以下の範囲で付加させる工程
工程（II）：上記工程（Ｉ）で得られたプロピレンオキサイド付加物にエチレンオキサイドを平均で０モル超、２．３モル以下の範囲で付加させる工程
工程（III）：上記工程（II）で得られたアルコキシレートを硫酸化し、次いで中和する工程
ＲＯ−（ＰＯ）m（ＥＯ）nＳＯ3Ｍ          （１）
（式中、Ｒは炭素数８〜２４の直鎖アルキル基であり、ＰＯとＥＯは夫々プロピレンオキシ基とエチレンオキシ基であり、ｍ、ｎはＰＯ又はＥＯの平均付加モル数を示し、それぞれ０．１≦ｍ≦０．９、０＜ｎ≦２．３の数である。Ｍは陽イオンである。）
【請求項３】
請求項１又は２に記載の界面活性剤組成物を含む洗浄剤組成物。
【発明の詳細な説明】
【技術分野】
【０００１】
本発明は、新規な界面活性剤組成物に関し、具体的には、特定の構造を有するアルキルエーテル硫酸エステル塩を含有する界面活性剤組成物に関する。
【背景技術】
【０００２】
現在汎用的に使用されている各種の非イオン性界面活性剤や陰イオン性界面活性剤等は、石化原料由来のアルコール又は油脂原料由来のアルコールから誘導されたものが知られている。
【０００３】
合成アルコールと呼ばれている石化原料由来のアルコールの製造法としては、例えば、エチレンを経由してオリゴメリゼーション化反応により内部オレフィンを有する化合物に誘導された後に、オキソ反応によりアルコールに誘導する方法がある。その結果得られた合成アルコールは、約８０質量％の直鎖アルコールの他に、約２０質量％の分岐アルコールを含む混合物となることが知られている。合成アルコールから誘導された各種の非イオン性界面活性剤や陰イオン性界面活性剤は、直鎖アルコールからの誘導体に比べて、低融点、低凝固点であることから、低温安定性に優れるといった特徴を有することが知られている。
【０００４】
一方、天然アルコールの一種である油脂原料由来のアルコールから誘導された各種の非イオン性界面活性剤や陰イオン性界面活性剤は、合成アルコールからの誘導体に比べて、高起泡性、低ｃｍｃ、高曇点、高乳化力といった特徴を有することが知られている。
【０００５】
この様に合成系、および天然系の界面活性剤は物性や性能が異なるため、通常は活性剤の使用用途に合わせて使い分けなければならないのが現状である。
【０００６】
現在カーボンニュートラルという観点から、天然アルコールの需要が世界的に高まっているが、天然アルコール由来の界面活性剤の欠点としては合成アルコール由来物に比べて低温安定性に劣り、配合系において外観、および性能に少なからず悪影響を与える虞があった。
【０００７】
従って、天然アルコール又はその誘導体の優れた性能を損なうことなく、合成アルコール又はその誘導体の性能を付与することができれば、目的・用途に関係なく、原料事情に応じたアルコールの使用が大いに期待されるため、現在天然アルコール、およびその誘導体の物性改質技術が強く望まれている。
【０００８】
アルコール系の主な陰イオン界面活性剤としては、アルキル硫酸エステル塩（ＡＳ）、アルキルエーテル硫酸エステル塩（ＡＥＳ）などが挙げられる。これらは食器用洗剤、シャンプー、身体洗浄料、衣料用洗剤、住居用洗剤などの家庭用のみならず、乳化重合用乳化剤、染色助剤といった化学品用途としても広く使用されている。これらの活性剤は製品配合系においては約２０質量％以下の低濃度で配合されることが一般的であるが、この濃度領域においてはＡＳ、ＡＥＳ水溶液は低粘性であるため、用途に応じて適当な粘度に調整する必要があった（特許文献１、２）。そのためこれまで数多くの増粘剤の検討がなされてきている。
【０００９】
従来、種々の化学製品における増粘剤としては、脂肪酸モノエタノールアミド（特許文献３）、脂肪酸ジグリコールアミド、および脂肪酸ジエタノールアミドなどのように、皮膚や毛髪に対して刺激が少ない脂肪酸アルカノールアミドが好んで用いられていた。しかし脂肪酸モノエタノールアミドや脂肪酸ジグリコールアミドは、増粘作用には極めて優れているが、それ自体の融点が高く、このために洗浄剤や化粧料に配合する際の溶解性が悪いという欠点を有していた。特に脂肪酸モノエタノールアミドは、その配合量が多い場合や低温で保存した場合には、濁りやクスミを生じる原因となり、このためその使用量や製品形態、用途に制限があった。
【００１０】
また、陰イオン界面活性剤水溶液を増粘させる方法としては、塩化ナトリウムや硫酸ナトリウムといった無機塩を添加し、ミセルの凝集により水溶液濃度を上昇させる方法（シックニング）がある。無機塩は上記記載の増粘剤に比べ、溶解性に優れることから広く汎用的に使用されている。しかし、添加量に対しての増粘効果が低く、所望の粘度まで調整する際に多量の無機塩を添加しなければならない。多量の塩は粘度変化が生じたり、洗浄中に刺激感を覚える等の問題があった。
【特許文献１】特開昭５５−８４３９９号
【特許文献２】特開昭５６−７２０９２号
【特許文献３】特開昭６１−１１４７２７号
【発明の開示】
【発明が解決しようとする課題】
【００１１】
そこで、本発明者等は、シックニング効果に優れる、すなわち、無機塩濃度が低い場合でも優れた増粘効果を示す陰イオン界面活性剤組成物の探索を開始した。石化原料由来のアルコールと油脂原料由来のアルコールのそれぞれが有する有利な効果を併せ持つアルコール及びそれから誘導される各種の界面活性剤の開発を行う中で、優れたシックニング効果を有する界面活性剤組成物が得られれば、石化原料由来のアルコールと油脂原料由来のアルコールのそれぞれが有する有利な効果を併せ持ったアルコールから誘導される界面活性剤組成物をはじめ各種製品の原料としての用途を拡大することができると考えられる。
【課題を解決するための手段】
【００１２】
本発明者等は、鋭意に検討を行った結果、特定のアルキルエーテル硫酸エステル塩を含有する界面活性剤組成物が優れたシックニング効果をもたらすことができ、更にはその有利な効果が当該界面活性剤組成物から誘導した種々の製品（例えば洗浄剤組成物）においても有利な作用効果を発現することを見出した。
【００１３】
本発明は、下記一般式（１）で表されるアルキルエーテル硫酸エステル塩を含有する界面活性剤組成物に関する。
ＲＯ−（ＰＯ）m（ＥＯ）nＳＯ3Ｍ          （１）
（式中、Ｒは炭素数８〜２４の直鎖アルキル基であり、ＰＯとＥＯは夫々プロピレンオキシ基とエチレンオキシ基であり、ｍ、ｎはＰＯ又はＥＯの平均付加モル数を示し、それぞれ０＜ｍ＜１、０＜ｎ≦２．３の数である。Ｍは陽イオンである。）
【００１４】
また、本発明は、以下の工程（Ｉ）〜（III）を含む工程から製造される一般式（１）で表されるアルキルエーテル硫酸エステル塩を含有する界面活性剤組成物に関する。
工程（Ｉ）：炭素数８〜２４の直鎖アルキル基を有するアルコール１モルにプロピレンオキサイドを平均で０モル超、１モル未満の範囲で付加させる工程
工程（II）：上記工程（Ｉ）で得られたプロピレンオキサイド付加物にエチレンオキサイドを平均で０モル超、２．３モル以下の範囲で付加させる工程
工程（III）：上記工程（II）で得られたアルコキシレートを硫酸化し、次いで中和する工程
ＲＯ−（ＰＯ）m（ＥＯ）nＳＯ3Ｍ          （１）
（式中、Ｒは炭素数８〜２４の直鎖アルキル基であり、ＰＯとＥＯは夫々プロピレンオキシ基とエチレンオキシ基であり、ｍ、ｎはＰＯ又はＥＯの平均付加モル数を示し、それぞれ０＜ｍ＜１、０＜ｎ≦２．３の数である。Ｍは陽イオンである。）
【００１５】
また、本発明は、上記本発明の界面活性剤組成物を含む洗浄剤組成物に関する。
【発明の効果】
【００１６】
本発明の界面活性剤組成物は、無機塩に対し良好な感度を示し、シックニング効果が高い。そのため、無機塩添加量を低減した場合でも良好な増粘系を形成することができる。
【発明を実施するための最良の形態】
【００１７】
＜界面活性剤組成物＞
本発明の界面活性剤組成物は、下記一般式（１）で表されるアルキルエーテル硫酸エステル塩を含有する。
ＲＯ−（ＰＯ）m（ＥＯ）nＳＯ3Ｍ          （１）
（式中、Ｒは炭素数８〜２４の直鎖アルキル基であり、ＰＯとＥＯは夫々プロピレンオキシ基とエチレンオキシ基であり、ｍ、ｎはアルキレンオキサイドの平均付加モル数を示し、それぞれ０＜ｍ＜１、０＜ｎ≦２．３の数である。Ｍは陽イオン基を示す。）
【００１８】
ここで一般式（１）中のＲのアルキル基は、原料の汎用性、および取り扱い性の観点から炭素数８〜１８が好ましく、より好ましくは炭素数１０〜１６であり、特に好ましくは炭素数１２〜１４である。
【００１９】
また、一般式（１）中のｍは平均ＰＯ付加モル数であり、０超であって１未満の数であるが、製造時における反応性とシックニング性能の理由から、好ましくは０．１〜０．９であり、より好ましくは０．２〜０．７である。
【００２０】
また、一般式（１）中のｎは平均ＥＯ付加モル数であり、０超であって２．３以下の数であり、シックニング効果の調整の利便さという理由から、好ましくは０．５〜２．０であり、より好ましくは１．０〜２．０である。
【００２１】
製造時における反応性、シックニング性能、及びシックニング効果の調整の利便さを総合的に考えたとき、ＰＯ、およびＥＯの平均付加モル数は、ＰＯが０．１〜０．９且つＥＯが０．５〜２．０であることが好ましく、より好ましくはＰＯが０．２〜０．７且つＥＯが１．０〜２．０であり、特に好ましくはＰＯが０．４〜０．７且つＥＯが１．０〜１．５である。
【００２２】
また、一般式（１）中のＭは、塩を形成する陽イオン基であり、アルカリ金属イオン、アルカリ土類金属イオン、アンモニウムイオン、およびトリエタノールアンモニウムイオン等のアルカノールアンモニウムイオン等が挙げられる。アルカリ金属としてはナトリウム、カリウム、リチウムなどが、またアルカリ土類金属としてはカルシウムが挙げられるが、これらの中でナトリウム、カリウムがより好ましく、ナトリウムが特に好ましい。
【００２３】
本発明の界面活性剤組成物は、取り扱い性の観点から水溶液や含水ペーストの形で製造・使用されるが、一般式（１）で表されるアルキルエーテル硫酸エステル塩からなるものであってもよい。さらに一般式（１）で表されるアルキルエーテル硫酸エステル塩と、水と、からなるものであってもよい。
【００２４】
本発明の界面活性剤組成物に用いられる一般式（１）で表されるアルキルエーテル硫酸エステル塩は、特に限定されるものではないが、例えば、以下の工程（Ｉ）〜（III）を含む工程から製造することができる。
工程（Ｉ）：炭素数８〜２４の直鎖アルキル基を有するアルコール１モルにプロピレンオキサイドを平均で０モル超、１モル未満の範囲で付加させる工程
工程（II）：上記工程（Ｉ）で得られたプロピレンオキサイド付加物にエチレンオキサイドを平均で０モル超、２．３モル以下の範囲で付加させる工程
工程（III）：上記工程（II）で得られたアルコキシレートを硫酸化し、次いで中和する工程
【００２５】
本発明の界面活性剤組成物と同等の効果を有する界面活性剤組成物を得る方法は、上記工程（Ｉ）〜（III）を含む工程の方法以外に、例えば下記一般式（２）及び下記一般式（３）で表される化合物を下記式（α）を満たす条件で混合する方法が挙げられる。
Ｒ1Ｏ−（ＥＯ）m'ＳＯ3Ｍ          （２）
Ｒ2Ｏ−（ＡＯ）n'ＳＯ3Ｍ          （３）
（式中、Ｒ1とＲ2は同一又は異なっていても良い炭素数８〜２４の直鎖アルキル基を示し、ＥＯはエチレンオキシ基、ＡＯは炭素数３もしくは４のアルキレンオキシ基である。ｍ’はエチレンオキサイドの平均付加モル数を示す０≦ｍ’≦３の数である。ｎ’はアルキレンオキサイドの平均付加モル数を示す０＜ｎ’≦３の数である。Ｍは陽イオンである。）
【００２６】
【数１】
0004275723.tif 000002
【００２７】
一般式（２）の化合物および一般式（３）の化合物を混合する方法としては、上記記載の方法に限定されるものではなく、一般式（２）の化合物および一般式（３）の化合物の２成分が式（α）を満たす範囲であればどのように混合しても良い。例えば一般式（２）の化合物、一般式（３）の化合物の他に第３成分を含んだり、第３成分と一般式（２）の化合物もしくは一般式（３）の化合物の混合物中へ、一般式（３）の化合物もしくは一般式（２）の化合物を混合する方法をとってもよい。
【００２８】
本発明の界面活性剤組成物、特に工程（Ｉ）〜（III）を含む工程から得られた本発明のアルキルエーテル硫酸エステル塩を含む組成物は、下記一般式（４）〜（７）で表される化合物の混合物であってよく、そのような混合物が一般式（１）を満たすアルキルエーテル硫酸エステル塩（単一物質）として認識される。
ＲＯ−ＳＯ3Ｍ                         （４）
ＲＯ−（ＰＯ）xＳＯ3Ｍ                （５）
ＲＯ−（ＥＯ）yＳＯ3Ｍ                （６）
ＲＯ−（ＰＯ）z（ＥＯ）z'ＳＯ3Ｍ      （７）
【００２９】
本発明の界面活性剤組成物における上記一般式（４）で表される化合物の割合は、一般式（４）〜（７）で表される化合物の合計中、８〜８２モル％、更に８〜３１モル％、特に１２〜３１モル％が好ましい。
【００３０】
本発明の界面活性剤組成物における上記一般式（５）で表される化合物の割合は、一般式（４）〜（７）で表される化合物の合計中、１０〜６９モル％、更に１０〜３６モル％、特に１１〜２９モル％が好ましい。
【００３１】
本発明の界面活性剤組成物における上記一般式（６）、および（７）で表される化合物の合計の割合は、一般式（４）〜（７）で表される化合物の合計中、１７〜６７モル％、更に４５〜６５モル％、特に４５〜６０モル％が好ましい。
【００３２】
なお、一般式（４）〜（７）中のｘ、ｙ、ｚ、ｚ’は、それぞれ１以上の整数であり、ＲおよびＭは一般式（１）に準ずる。
【００３３】
工程（Ｉ）は、炭素数８〜２４の直鎖アルキル基を有するアルコールにプロピレンオキサイドを平均で０モル超、１モル未満の範囲で付加させる工程である。本発明で用いられるアルコールのアルキル基は炭素数８〜２４の直鎖アルキル基であるが、原料の汎用性、取り扱い性の理由から、炭素数８〜１８が好ましく、より好ましくは炭素数１０〜１６であり、特に好ましくは炭素数１２〜１４である。
【００３４】
また、上記アルコール１モルに対するプロピレンオキサイドの使用量は、一般式（１）で表されるアルキルエーテル硫酸エステル塩を製造できる量であることが好ましい。具体的には、上記アルコール１モルに対するプロピレンオキサイドを０モル超であって１モル未満の数であるが、製造時における反応性とシックニング性能の理由から、好ましくは０．１〜０．９モルであり、より好ましくは０．２〜０．７モルである。
【００３５】
工程（II）は、上記工程（Ｉ）で得られたプロピレンオキサイド付加物にエチレンオキサイドを平均で０モル超、２．３モル以下の範囲で付加させる工程である。上記アルコール１モルに対するエチレンオキサイドの使用量は、一般式(４)で表されるアルキルエーテル硫酸エステル塩を製造できる量であることが好ましい。具体的には、上記アルコール１モルに対するエチレンオキサイドが平均で０モル超であって２．３モル以下の数であるが、シックニング効果の調整の利便さという理由から、好ましくは０．５〜２．０モルであり、より好ましくは１．０〜２．０モルである。
【００３６】
工程（Ｉ）、（II）を実施する方法としては、従来公知の方法が使用可能である。すなわち、オートクレーブにアルコールとアルコールに対し０．５〜１モル％のＫＯＨ等を触媒として仕込み、昇温・脱水し、１３０〜１６０℃の温度で、それぞれ所定量のプロピレンオキサイド及びエチレンオキサイドを付加反応させることにより製造できる。このとき、付加形態はブロック付加であり、かつプロピレンオキサイド付加〔工程（Ｉ）〕、エチレンオキサイド付加〔工程（II）〕の順に行う。使用するオートクレーブには攪拌装置、温度制御装置、自動導入装置を備えられていることが望ましい。
【００３７】
工程（III）は、上記工程（II）で得られたアルコキシレートを硫酸化し、次いで中和させる工程である。硫酸化の方法としては、三酸化硫黄（液体又は気体）、三酸化硫黄含有ガス、発煙硫酸、クロルスルホン酸等を用いる方法が挙げられるが、特に、廃硫酸及び廃塩酸等の発生を防止する観点から、三酸化硫黄をアルコキシレートと同時にガス状又は液状で連続的に供給する方法が好ましい。
【００３８】
硫酸化物の中和方法としては、所定量の中和剤へ硫酸化物を添加・攪拌しながら中和を行うバッチ式と、硫酸化物と中和剤を配管内へ連続的に供給し、攪拌混合機にて中和を行う連続式などが挙げられるが、本発明では中和方法に限定はない。ここで使用される中和剤としてはアルカリ金属水溶液、アンモニア水、トリエタノールアミンなどが挙げられるが、アルカリ金属水溶液が好ましく、より好ましくは水酸化ナトリウムである。
【００３９】
本発明の界面活性剤組成物は取り扱い性や輸送における優位性から水溶液や含水ペーストの形で製造、使用されるがこれに限定されるものではない。本発明の界面活性剤組成物における界面活性剤量〔好ましくは一般式（１）で表されるアルキルエーテル硫酸エステル塩の量〕としては５〜８５質量％が好ましく、更に好ましくは１０〜８０質量％、より好ましくは２０〜８０質量％、輸送時や配合時の優位性から特に好ましくは６０〜８０質量％である。
【００４０】
本発明の界面活性剤組成物の一例として、炭素数１２／炭素数１４混合アルコール１モルに対し、プロピレンオキサイドを平均で０．２〜０．８モル、エチレンオキサイドを平均で０．５〜２モル付加させたアルコキシレートを硫酸化／中和して得られるアルキルエーテル硫酸エステル塩を含有する組成物は、無機塩濃度が低い場合でも、良好なシックニング効果を得ることが出来る。
【００４１】
また、前記一般式（３）で表される化合物を、無機塩と陰イオン界面活性剤（特に前記一般式（２）の化合物）とを含有する水溶液に添加することによっても良好なシックニング効果を得ることが出来る。
【００４２】
＜洗浄剤組成物＞
本発明の界面活性剤組成物は、増粘効果に優れるという特徴を有することから、その用途や目的に応じて、洗浄剤組成物、化粧料組成物などの各種の製品に配合することができる。特に、増粘効果を訴求したい洗浄剤組成物において有効である。洗浄剤組成物としては、身体用（毛髪用を含む）洗浄剤組成物、衣料用洗浄剤組成物、硬質表面用洗浄剤組成物等が挙げられる。
【００４３】
本発明の界面活性剤組成物の含有量は、特に制限されるものではないが、洗浄剤組成物中、好ましくは０．５〜２７質量％、より好ましくは１〜２５質量％、更に好ましくは５〜２５質量％、特に好ましくは５〜２０質量％である。
【００４４】
洗浄剤組成物には、本発明の界面活性剤組成物の他に、この分野において通常用いられる界面活性剤、粘度調整剤、増泡剤、アルカリ剤、金属封鎖剤、防腐剤、香料、色素、無機塩などを配合することができる。無機塩は、塩酸、臭化水素酸、硫酸、硝酸、炭酸、リン酸等のアルカリ金属塩から選ばれる一種以上の無機塩が好ましく、中でも塩酸のアルカリ金属塩、例えば、塩化ナトリウムなどがより好ましい。また、無機塩の含有量は洗浄剤組成物中、１〜３質量％が好ましい。
【００４５】
なお、本発明の界面活性剤組成物は、無機塩〔（Ｂ）成分〕を含有することもできる。具体的には、本発明によれば、（Ａ）前記一般式（１）で表されるアルキルエーテル硫酸エステル塩を５〜２７質量％、（Ｂ）塩酸、臭化水素酸、硫酸、硝酸、炭酸、リン酸等のアルカリ金属塩から選ばれる一種以上の無機塩を１〜３質量％、及び（Ｃ）水を含有し、３０℃における粘度が１００〜１００００ｍＰａ・ｓである界面活性剤組成物が提供される。この粘度は、後述の実施例の条件で測定されたものである。
【００４６】
前記洗浄剤組成物や界面活性剤組成物の（Ｂ）成分の無機塩としては、塩化ナトリウム、塩化カリウム、臭化ナトリウム、硫酸ナトリウム、硝酸ナトリウム、炭酸ナトリウム、リン酸一水素ナトリウム、リン酸二水素ナトリウムなどが例示されるが、好ましくは塩化ナトリウム、塩化カリウム、硫酸ナトリウム、炭酸ナトリウムであり、より好ましくは塩化ナトリウム、硫酸ナトリウムである。
【実施例】
【００４７】
実施例１
炭素数１２のアルコール（花王（株）、製品名：カルコール２０９８）３４４７ｇ、炭素数１４のアルコール（花王（株）、製品名：カルコール４０９８）１３４１ｇ、およびＫＯＨ６．８ｇを攪拌装置、温度制御装置、自動導入装置を備えたオートクレーブに仕込み、１１０℃、１．３ｋＰａにて３０分間脱水を行った。脱水後窒素置換を行い、１２０℃まで昇温した後、ＰＯを５７５ｇ仕込んだ。１２０℃にて付加反応・熟成を行った後、１４５℃に昇温し、ＥＯを１６２５ｇ仕込んだ。１４５℃にて付加反応・熟成を行った後、８０℃まで冷却し、４．０ｋＰａで未反応のＥＯを除去した。未反応ＥＯ除去後、７．３ｇの酢酸をオートクレーブ内に加え、８０℃で３０分間攪拌した後、抜き出しを行い、平均ＰＯ付加モル数が０．４モル、平均ＥＯ付加モル数が１．５モルであるアルコキシレートを得た。
【００４８】
得られたアルコキシレートを、ＳＯ3ガスを用いて下降薄膜式反応機（以下ＦＦＲ）にて硫酸化した。得られた硫酸化物をＮａＯＨ水溶液にて中和し、アルキルエーテル硫酸エステル塩組成物を得た。得られたアルキルエーテル硫酸エステル塩組成物に、ＮａＣｌ、イオン交換水を添加し、界面活性剤濃度が２０質量％の評価サンプルを調整した。評価サンプルは界面活性剤有効分、ＮａＣｌ、および水で構成され、ＮａＣｌ濃度は表１に示す種々の濃度とした。得られた評価サンプルの粘度をＢ型粘度計にて測定した。測定条件を下記に示す。評価サンプル組成（界面活性剤濃度、ＮａＣｌ濃度）、および粘度測定結果を表１に示す。なお、表１中、ＥＯｐはエチレンオキサイド平均付加モル数、ＰＯｐはプロピレンオキサイド平均付加モル数である。
（測定条件）
・粘度測定機器：Ｂ型粘度計、ＴＯＫＩＭＥＣ社「ＤＶＬ−Ｂ II」
・サンプル温度：３０℃
・測定時間：９０秒間
・ロータＮｏ．：１〜４
・回転数：３０ｒｐｍ
【００４９】
実施例２
実施例１と同様の方法で平均ＰＯ付加モル数が０．４モル、平均ＥＯ付加モル数が２．０モルであるアルキルエーテル硫酸エステル塩組成物を得た。得られたアルキルエーテル硫酸エステル塩組成物を用い、実施例１と同様に評価サンプルを調製し、粘度の測定を行った。評価サンプル組成、および粘度測定結果を表１に示す。
【００５０】
実施例３
実施例１と同様の方法で平均ＰＯ付加モル数が０．７モル、平均ＥＯ付加モル数が２．０モルであるアルキルエーテル硫酸エステル塩組成物を得た。得られたアルキルエーテル硫酸エステル塩組成物を用い、実施例１と同様に評価サンプルを調製し、粘度の測定を行った。評価サンプル組成、および粘度測定結果を表１に示す。
【００５１】
比較例１
花王（株）製アルキルエーテルサルフェート（製品名：エマール２７０Ｊ）を使用し、実施例３と同様の方法にて評価サンプルを調製、水溶液粘度の測定を行った。評価サンプル組成、および粘度測定結果を表１に示す。
【００５２】
比較例２
実施例１と同様の方法で平均ＰＯ付加モル数が１．０モル、平均ＥＯ付加モル数が２．０モルであるアルキルエーテル硫酸エステル塩組成物を得た。得られたアルキルエーテル硫酸エステル塩組成物を用い、実施例１と同様に評価サンプルを調製し、粘度の測定を行った。評価サンプル組成、および粘度測定結果を表１に示す。
【００５３】
比較例３
実施例１と同様の方法で平均ＰＯ付加モル数が０．５モル、平均ＥＯ付加モル数が２．５モルであるアルキルエーテル硫酸エステル塩組成物を得た。得られたアルキルエーテル硫酸エステル塩組成物を用い、実施例１と同様に評価サンプルを調製し、粘度の測定を行った。評価サンプル組成、および粘度測定結果を表１に示す。
【００５４】
比較例４
分岐鎖のアルキル基を有する混合（炭素数１２及び炭素数１３）アルコール（Shell社、製品名：NEODOL23）を使用し、実施例１と同様の方法で平均ＰＯ付加モル数が０．５モル、平均ＥＯ付加モル数が２．５モルであるアルキルエーテル硫酸エステル塩組成物を得た。得られたアルキルエーテル硫酸エステル塩組成物を用い、実施例１と同様に評価サンプルを調製し、粘度の測定を行った。評価サンプル組成、および粘度測定結果を表１に示す。
【００５５】
【表１】
0004275723.tif 000003
【００５６】
表から明らかなように、実施例のアルキルエーテル硫酸エステル塩を含有する界面活性剤組成物は、比較例のアルキルエーテル硫酸エステル塩を含有する界面活性剤組成物よりも良好なシックニング効果を示した。また本発明のＰＯｐ、ＥＯｐの領域ではシックニング効果が際立って大きい。
【００５７】
実施例４及び比較例５
平均ＰＯ付加モル数が１モルであるアルキル（炭素数１２／１４＝７２質量％／２８質量％）エーテル硫酸エステルナトリウム〔界面活性剤（２−１）〕に、平均ＥＯ付加モル数が２モルであるアルキル（炭素数１２／１４＝７５質量％／２５質量％）エーテル硫酸エステルナトリウム〔界面活性剤（１−１）〕を表１の比率で混合し、さらに塩化ナトリウム、イオン交換水を添加し、総界面活性剤濃度が２０質量％、塩化ナトリウム濃度が１．５質量％の評価サンプルを調製した。得られた評価サンプルの粘度を実施例１〜３と同様の方法にて測定した。評価サンプル組成、及び粘度測定結果を表２に示す。
【００５８】
【表２】
0004275723.tif 000004
【００５９】
表２から明らかなように、上記一般式（３）で表される化合物を添加することにより、シックニング効果の小さい陰イオン界面活性剤水溶液粘度を増加させることができ、かつ上記一般式（３）で表される化合物の添加量を変えることで、水溶液の増粘挙動を制御することができる。